(57)【要約】【課題】ディスプレイ領域の暗部の改善可能な簡単な構造のバックライトユニット及びこれを有するディスプレイ装置を提供すること【解決手段】バックライトユニット及びこれを有するディスプレイ装置に関し、このディスプレイ装置は、映像信号のための映像受信部と、映像受信部に受信される映像信号を処理する映像処理部と、映像処理部による映像信号に基づいて映像を表示するディスプレイパネルと、ディスプレイパネルにおける分割された複数のディスプレイ領域に光を出射する複数の導光板と、導光板の側面に光を照射する複数の光源、及び複数の光源が装着され、導光板の底面および側面に沿って配置される複数の光源モジュールと、それぞれの導光板に対応する、導光板の底面とモジュール基板との間にそれぞれ介在され、光源からの光をディスプレイ領域に向かって反射する複数の反射プレートと、を含む。【選択図】図１
2011128599.tif 000002
【特許請求の範囲】
【請求項１】
ディスプレイ装置において、
映像信号を受信する映像受信部と、
前記映像受信部に受信される映像信号を処理する映像処理部と、
前記映像処理部により処理される映像信号に基づいて映像を表示するディスプレイパネルと、
前記ディスプレイパネルにおける分割された複数のディスプレイ領域に光を出射する複数の導光板と、
前記導光板の側面に光を照射する複数の光源、及び前記複数の光源が装着され、前記導光板の底面に配置されるモジュール基板を有し、それぞれの前記導光板の側面に沿って配置される複数の光源モジュールと、
それぞれの前記導光板に対応して複数個が設けられ、前記導光板の底面と前記モジュール基板との間にそれぞれ介在され、前記光源からの光を前記ディスプレイ領域に向かって反射する複数の反射プレートと、
を含むことを特徴とするディスプレイ装置。
【請求項２】
前記ディスプレイパネルと前記導光板との間に介在され、前記導光板から出射される光を拡散させる拡散プレートをさらに含むことを特徴とする、請求項１に記載のディスプレイ装置。
【請求項３】
前記ディスプレイ装置の外形とされるカバー部と、
前記導光板及び前記反射プレートを前記カバー部に締め付ける透明スクリューと、
をさらに含み、
前記透明スクリューのスクリューヘッドは、前記拡散プレート及び前記導光板の間のギャップを維持するように、前記導光板に対して前記拡散プレートを支持することを特徴とする、請求項２に記載のディスプレイ装置。
【請求項４】
一つの前記導光板は、前記ディスプレイ領域に平行な板面上に、前記光源モジュールの延長方向に沿って、前記各光源からの光照射範囲の内側に位置する第１領域及び前記光照射範囲の外側に位置する第２領域を有し、
前記第１領域及び前記第２領域には、異なる密度の導光板パターンが形成されることを特徴とする、請求項１に記載のディスプレイ装置。
【請求項５】
前記第２領域に形成された導光板パターンは、前記第１領域に形成された導光板パターンに比べて高密度であることを特徴とする、請求項４に記載のディスプレイ装置。
【請求項６】
前記第２領域を含むとともに前記導光板パターンの密度が高い第１領域は、三角形及び五角形のうちのいずれかの形状を有することを特徴とする、請求項５に記載のディスプレイ装置。
【請求項７】
一つの前記導光板は、前記ディスプレイ領域と平行な板面上に導光板パターンが形成され、
前記光源モジュールに隣接する前記導光板の一領域において、前記光源からの入射光量が既設定値よりも大きい第３領域、及び前記入射光量が既設定値よりも小さい第４領域にそれぞれ形成された導光板パターンの密度が異なることを特徴とする、請求項１に記載のディスプレイ装置。
【請求項８】
前記第４領域に形成された導光板パターンは、前記第３領域に形成された導光板パターンに比べて密度が高いことを特徴とする、請求項７に記載のディスプレイ装置。
【請求項９】
前記第４領域は、隣接する２つの前記光源の間に位置することを特徴とする、請求項７に記載のディスプレイ装置。
【請求項１０】
少なくとも一つの前記導光板は、複数の既設定形状のパターン領域を有し、前記各パターン領域は、前記導光板に光を照射する複数の前記光源の間を基準に形成され、前記光源が位置する方向の上面側部または下面側部に形成されることを特徴とする、請求項１に記載のディスプレイ装置。
【請求項１１】
前記複数の導光板うちの第１導光板に対応する複数の前記光源と前記第１導光板に隣接する第２導光板に対応する複数の前記光源は、互いにずれて配置されることを特徴とする、請求項１に記載のディスプレイ装置。
【請求項１２】
ディスプレイパネルに光を供給するバックライトユニットであって、
ディスプレイパネルにおける分割された複数のディスプレイ領域に光を出射する複数の導光板と、
前記導光板の側面に光を照射する複数の光源、前記複数の光源が装着され、前記導光板の底面に配置されるモジュール基板を有し、それぞれの前記導光板の側面に沿って配置される複数の光源モジュールと、
それぞれの前記導光板に対応するように複数個が設けられ、前記導光板の底面と前記モジュール基板との間にそれぞれ介在され、前記光源からの光を前記ディスプレイ領域に向かって反射する複数の反射プレートと、
を含むことを特徴とするバックライトユニット。
【発明の詳細な説明】
【技術分野】
【０００１】
本発明は、光源及び導光板によって映像表示のための光を供給するバックライトユニット及びこれを有するディスプレイ装置に係り、特に、複数個に分割された各ディスプレイ領域に対応する複数の導光板構造を有するバックライトユニット及びこれを有するディスプレイ装置に関するものである。
【背景技術】
【０００２】
ディスプレイ装置は、映像を表示するディスプレイパネルを備えて、放送信号または様々なフォーマットの映像データを表示できる装置であり、ＴＶ、モニタなどに具体化することができる。このようなディスプレイパネルは、その特性によって、液晶パネル、プラズマパネルのような様々な形態に分類され、各種ディスプレイ装置に適用されている。ここで、パネル自体で光を生成できない液晶パネルがディスプレイパネルとして適用される場合、ディスプレイ装置は、光を生成してディスプレイパネルに供給するバックライトユニットを備える。
【０００３】
このようなディスプレイ装置のバックライトユニットは、光を生成する光源として、従来から一般的に採択されてきた冷陰極蛍光ランプに比べて、環境汚染、応答速度などの側面において優れた特性を有する発光ダイオード素子を採択している。バックライトユニットは、導光板に対する光源の相対的位置によって、直下型及びエッジ（edge）型に区別することができる。
【０００４】
直下型バックライトユニットは、光源が導光板の背面に沿って並んで配置されるもので、各光源が前面のディスプレイパネルに向かって光を直接投射する。これに比べて、エッジ型バックライトユニットは、光源が導光板のエッジに沿ってバー（bar）形態で配置されるもので、光源からの光が導光板の側面に入射してディスプレイパネルに投射される。エッジ型バックライトユニットは、導光板のエッジに光源が配置されて、直下型に比べて装置のスリム（slim）化が容易な点から、ディスプレイ装置に多く採用されている。
【発明の概要】
【発明が解決しようとする課題】
【０００５】
本発明の目的は、簡単な構造でディスプレイ領域の暗部の改善ができる構造のバックライトユニット及びこれを有するディスプレイ装置を提供することである。
【課題を解決するための手段】
【０００６】
本発明の実施例によるディスプレイ装置は、映像信号を受信する映像受信部と、前記映像受信部に受信される映像信号を処理する映像処理部と、前記映像処理部により処理される映像信号に基づいて映像を表示するディスプレイパネルと、前記ディスプレイパネルにおける分割された複数のディスプレイ領域に光を出射する複数の導光板と、前記導光板の側面に光を照射する複数の光源、及び前記複数光源が装着され、前記導光板の底面に配置されるモジュール基板を有し、それぞれの前記導光板の側面に沿って配置される複数の光源モジュールと、それぞれの前記導光板に対応して複数個が設けられ、前記導光板の底面と前記モジュール基板との間にそれぞれ介在され、前記光源からの光を前記ディスプレイ領域に向かって反射する複数の反射プレートと、を含むことを特徴とする。
【０００７】
上記ディスプレイ装置は、前記ディスプレイパネルと前記導光板との間に介在され、前記導光板から出射される光を拡散させる拡散プレートをさらに含むことができる。
【０００８】
上記ディスプレイ装置は、前記ディスプレイ装置の外形とされるカバー部と、前記導光板及び前記反射プレートを前記カバー部に締め付ける透明スクリューと、をさらに含み、前記透明スクリューのスクリューヘッドは、前記拡散プレート及び前記導光板間のギャップを維持するように、前記導光板に対して前記拡散プレートを支持することができる。
【０００９】
また、一つの前記導光板は、前記ディスプレイ領域に平行な板面上に、前記光源モジュールの延長方向に沿って、前記各光源からの光照射範囲の内側に位置する第１領域及び前記光照射範囲の外側に位置する第２領域を有し、前記第１領域及び前記第２領域には、異なる密度の導光板パターンが形成されることができる。
【００１０】
ここで、前記第２領域に形成された導光板パターンは、前記第１領域に形成された導光板パターンに比べて高密度のものとすることができる。
【００１１】
ここで、前記第２領域を含むとともに前記導光板パターンの密度が高い第１領域は、三角形及び五角形のうちのいずれかの形状とすることができる。
【００１２】
一つの前記導光板は、前記ディスプレイ領域と平行な板面上に導光板パターンが形成され、前記光源モジュールに隣接する前記導光板の一領域において、前記光源からの入射光量が既設定値よりも大きい第３領域、及び前記入射光量が既設定値よりも小さい第４領域にそれぞれ形成された導光板パターンの密度が異なることを特徴とする。
【００１３】
前記第４領域に形成された導光板パターンは、前記第３領域に形成された導光板パターンに比べて密度が高いものとすることができる。
【００１４】
前記第４領域は、隣接する２つの前記光源の間に位置することができる。
【００１５】
また、少なくとも一つの前記導光板は、複数の既設定形状のパターン領域を有し、前記各パターン領域は、前記導光板に光を照射する複数の前記光源の間を基準に形成され、前記光源が位置する方向の上面側部または下面側部に形成されることができる。
【００１６】
前記複数の導光板うちの第１導光板に対応する複数の前記光源と前記第１導光板に隣接する第２導光板に対応する複数の前記光源は、互いにずれて配置されることができる。
【００１７】
また、本発明の他の実施例による、ディスプレイパネルに光を供給するバックライトユニットは、ディスプレイパネルにおける分割された複数のディスプレイ領域に光を出射する複数の導光板と、前記導光板の側面に光を照射する複数の光源、前記複数の光源が装着され、前記導光板の底面に配置されるモジュール基板を有し、それぞれの前記導光板の側面に沿って配置される複数の光源モジュールと、それぞれの前記導光板に対応するように複数個が設けられ、前記導光板の底面と前記モジュール基板との間にそれぞれ介在され、前記光源からの光を前記ディスプレイ領域に向かって反射する複数の反射プレートと、を含むことを特徴とする。
【００１８】
上記ディスプレイ装置は、前記ディスプレイパネルと前記導光板との間に介在され、前記導光板から出射される光を拡散させる拡散プレートをさらに含むことができる。
【００１９】
上記ディスプレイ装置は、前記導光板及び前記反射プレートを、前記ディスプレイ装置の外形とされるカバー部に締め付ける透明スクリューをさらに含み、前記透明スクリューのスクリューヘッドは、前記拡散プレート及び前記導光板間のギャップを維持するように、前記導光板に対して前記拡散プレートを支持することができる。
【００２０】
また、一つの前記導光板は、前記ディスプレイ領域に平行な板面上に、前記光源モジュールの延長方向に沿って、前記各光源からの光照射範囲の内側に位置する第１領域及び前記光照射範囲の外側に位置する第２領域を有し、前記第１領域及び前記第２領域には、異なる密度の導光板パターンが形成されることができる。
【００２１】
ここで、前記第２領域に形成された導光板パターンは、前記第１領域に形成された導光板パターンに比べて高密度のものとすることができる。
【００２２】
ここで、前記第２領域を含むとともに前記導光板パターンの密度が高い領域は、三角形及び五角形のうちのいずれかの形状とすることができる。
【００２３】
また、一つの前記導光板は、前記ディスプレイ領域と平行な板面上に導光板パターンが形成され、前記光源モジュールに隣接する前記導光板の一領域において、前記光源からの入射光量が既設定値よりも大きい第３領域、及び前記入射光量が既設定値よりも小さい第４領域にそれぞれ形成された導光板パターンの密度が異なることを特徴とする。
【００２４】
前記第４領域に形成された導光板パターンは、前記第３領域に形成された導光板パターンに比べて密度が高いものとすることができる。
【００２５】
前記第４領域は、隣接する２つの前記光源の間に位置することができる。
【００２６】
前記複数の導光板うちの第１導光板に対応する複数の前記光源と前記第１導光板に隣接する第２導光板に対応する複数の前記光源は、互いにずれて配置されることができる。
【発明の効果】
【００２７】
以上説明したように、簡単な構造でディスプレイ領域の暗部の改善ができる。
【図面の簡単な説明】
【００２８】
【図１】本発明の実施例によるディスプレイ装置の分解斜視図である。
【図２】図１のディスプレイ装置が結合された様子を示す要部側断面図である。
【図３】図２のディスプレイ装置において一つの導光板及びそれに対応する光源モジュールを示す要部平面図である。
【図４】図３の導光板において導光板パターンの形成例を示す要部平面図である。
【図５】図２のディスプレイ装置において導光板に対する光源の配置例を示す要部平面図である。
【図６】図１のディスプレイ装置の制御構成ブロック図である。
【発明を実施するための形態】
【００２９】
以下、添付の図面を参照しつつ、本発明の好適な実施例について詳細に説明する。以下の実施例では、本発明の思想と直接関連している構成についてのみ説明し、その他の構成については適宜説明を省略する。ただし、本発明の思想が適用されたディスプレイ装置１の具現において、このように説明を省略した構成が不要であるということを意味するわけではないということは明らかである。
【００３０】
図１は、本発明の実施例によるディスプレイ装置１の概略的な分解斜視図である。
【００３１】
図１に示すように、本実施例によるディスプレイ装置１は、収容空間を形成するカバー部１０，２０と、カバー部１０，２０により形成された収容空間に収容され、映像が表示されるディスプレイパネル３０と、収容空間に収容され、ディスプレイパネル３０に映像が表示されるようにディスプレイパネル３０に光を供給するバックライトユニット４０と、を含む。
【００３２】
図１に示された各方向について説明する。Ｘ、Ｙ、Ｚ方向はそれぞれ、基本的に、横、縦及び高さ方向を表す。ディスプレイパネル３０は、Ｘ−Ｙ平面上に配置され、バックライトユニット４０及びディスプレイパネル３０がＺ方向に沿って積層配置される。以下、図１を含む各図面及び実施例では、このように定義された方向に基づいて説明される。ここで、Ｘ、Ｙ、Ｚ方向の反対方向はそれぞれ、−Ｘ、−Ｙ、−Ｚ方向で表し、Ｘ−Ｙ平面は、Ｘ方向の軸及びＹ方向の軸により形成される平面を意味する。
【００３３】
カバー部１０，２０は、ディスプレイ装置１の外形とされ、ディスプレイパネル３０及びバックライトユニット４０を収容する。カバー部１０，２０は、ディスプレイパネル３０及びバックライトユニット４０の上下をそれぞれカバーする上側カバー１０及び下側カバー２０を含む。
【００３４】
上側カバー１０及び下側カバー２０は共に収容空間を形成し、この収容空間内にディスプレイパネル３０及びバックライトユニット４０を収容する。上側カバー１０のＸ−Ｙ平面に平行な板面は、ディスプレイパネル３０のディスプレイ領域が露出されるように開口部とする。
【００３５】
下側カバー２０は、バックライトユニット４０を収容し、Ｘ−Ｙ平面に平行な内側の板面上に、後述する透明スクリュー６００にて締め付けられるための下側カバー締付孔２１が形成される。
【００３６】
ディスプレイパネル３０は、本実施例では液晶パネルとする。ディスプレイパネル３０は、２枚の基板（図示せず）の間に液晶層（図示せず）が充填されてなり、駆動信号を印加してこの液晶層（図示せず）の配列を調整することによって映像を表示する。ディスプレイパネル３０は、それ自身は発光せず、ディスプレイ領域に映像を表示するにはバックライトユニット４０から光を取り込まなければならない。ここで、ディスプレイ領域は、ディスプレイパネル３０においてＸ−Ｙ平面と平行であり、映像が表示される領域を意味する。
【００３７】
ディスプレイパネル３０は、図示せぬ駆動回路基板を有し、この駆動回路基板から駆動信号が印加されると、ディスプレイパネル３０の液晶（図示せず）が所定角度で回転する。これによって、ディスプレイパネル３０のディスプレイ領域を構成する各セル（図示せず）単位にそれぞれ光の透過特性が変わり、ディスプレイ領域に映像が表示されることとなる。
【００３８】
バックライトユニット４０は、ディスプレイパネル３０に光を供給するように、ディスプレイパネル３０の背面に配置される。バックライトユニット４０は、ディスプレイパネル３０のディスプレイ領域に光を出射する複数の導光板１００と、光を生成して複数の導光板１００に照射する複数の光源モジュール２００と、各導光板１００に対応して設置されて、光をディスプレイパネル３０に向かって反射する複数の反射プレート３００と、導光板１００から出射される光を拡散させる拡散プレート４００と、拡散プレート４００により拡散される光の特性を調整する光学シート類５００と、を含む。
【００３９】
導光板１００は、アクリル射出物等からなるプラスチック成形レンズであり、光源モジュール２００から入射する光を、ディスプレイパネル３０のディスプレイ領域全体に均一に伝達する。本実施例において、各導光板１００は、Ｘ方向に延長された直方形の形状を有し、８枚の導光板１００がＹ方向にアレイ（array）配置されるが、これらの個数、形状、延長方向、配置関係などに本発明の思想が限定されるものではない。
【００４０】
導光板１００は、穿設された導光板締付孔１１０を含む。導光板締付孔１１０は、後述する透明スクリュー６００にて下側カバー締付孔２１と結合される。
【００４１】
導光板１００は、反射プレート３００と対面する下板面上に導光板パターンまたは光学パターンを形成することによって、導光板１００から出射される光の均一性を向上させ、出射光量を調節することができる。すなわち、光学パターンをどのように形成するかによって、ディスプレイ領域における輝度が異なってくる。例えば、光学パターンは、レーザーまたはプリンティング方法によって形成された複数のドット（dot）を含むことができる。これらのドットは、隣り合うドット間を一定の距離にさせて配置したり、隣り合う行（row）間を一定の距離にさせて各行を平行に配置したりすることができる。光学パターンの密度は、ドットの大きさ、隣り合うドット間の距離変化、ドットの隣り合う行間の距離変化などによって変えることができる。
【００４２】
光源モジュール２００は、ディスプレイパネル３０に提供する光を生成し、生成した光が導光板１００に入射するように、各導光板１００の側面に配置される。すなわち、光源モジュール２００は、導光板１００の延長方向と同様にＸ方向に沿って延長され、導光板１００及び光源モジュール２００がＹ方向に沿って交互に配置される。
【００４３】
光源モジュール２００で生成された光は、Ｙ方向に各導光板１００へ照射された後、各導光板１００からＺ方向に出射されてディスプレイパネル３０に入射する。これによって、ディスプレイパネル３０は、Ｘ−Ｙ平面に平行なディスプレイ領域上に映像を形成することができる。
【００４４】
反射プレート３００は、導光板１００の背面または底面に配置され、ディスプレイパネル３０に向かって、各導光板１００に照射される光を反射させる。反射プレート３００は、複数の導光板１００のそれぞれに対応するように複数枚が設けられ、導光板１００に対応して、Ｘ方向に延長され、Ｙ方向に沿って配置される形状とされる。
【００４５】
各反射プレート３００は、穿設された反射プレート締付孔３１０を有する。反射プレート締付孔３１０は、後述する透明スクリュー６００により、下側カバー締付孔２１及び導光板締付孔１１０と結合される。
【００４６】
拡散プレート４００は、導光板１００から出射される光を拡散させて、ディスプレイ領域の輝度を全体的に均一化させる。
【００４７】
光学シート類５００は、ディスプレイパネル３０に平行に、ディスプレイパネル３０の背面に１枚以上が積層される。光学シート類５００は、プリズム（prism）シート、拡散シート、保護フィルムなどを含み、拡散プレート４００により拡散される光の特性を調節してディスプレイパネル３０に伝達する。
【００４８】
このような構成において、導光板１００及び反射プレート３００を下側カバー２０に結合させるために透明スクリュー６００が適用される。すなわち、透明スクリュー６００は、導光板締付孔１１０、反射プレート締付孔３１０及び下側カバー締付孔２１に貫通して螺合することで、導光板１００、反射プレート３００及び下側カバー２０の結合を達成する。
【００４９】
図２は、図１のディスプレイ装置１の結合状態を示す要部側断面図である。図２を参照して、ディスプレイ装置１の結合状態について説明すると、下記の通りである。
【００５０】
図２に示すように、下側カバー２０の上板面にはバックライトユニット４０が積層される。ここで、下側カバー２０の上板面上には、光源モジュール２００の後述するモジュール基板２２０を収容するモジュール基板収容部２３が形成される。
【００５１】
光源モジュール２００は、Ｙ方向に沿って複数個が相互平行に配置される。光源モジュール２００は、光Ｌを生成して導光板１００の側面に照射する複数の光源２１０と、これら複数の光源２１０が装着されるモジュール基板２２０と、を含む。図２には示していないが、一つの光源モジュール２００に含まれる複数の光源２１０は、Ｘ方向に沿って並設される。
【００５２】
光源２１０は、発光ダイオード素子（light-emitting diode：LED）とし、モジュール基板２２０上に立設される。光源２１０は、モジュール基板２２０から駆動電源及び点滅制御信号が供給される。ここで、一つの光源モジュール２００に含まれる各光源２１０の光照射方向は同一である。
【００５３】
一つのモジュール基板２２０に装着される光源２１０は、青色ＬＥＤ、緑色ＬＥＤ及び赤色ＬＥＤを含むことができ、各カラーのＬＥＤから放出される青色光、緑色光及び赤色光が混色することで、優れたカラー再現性を有する白色光を形成することができる。しかし、これは一実施例に過ぎなもので、光源２１０は、白色光を直接生成する白色ＬＥＤとすることもできる。
【００５４】
モジュール基板２２０は、装着されている光源２１０にディスプレイ装置１のシステム電源からの電源を提供するための図示せぬ配線構成を有する。モジュール基板２２０上の複数の光源２１０は、複数のグループを形成し、配線構成が各グループ別に電源を伝達することによって、複数の光源２１０の点滅を選択的に制御するローカルディミング（local dimming）を実現可能になる。
【００５５】
モジュール基板２２０は、モジュール基板収容部２３に収容されて下側カバー２０上に支持される。モジュール基板収容部２３に収容されたモジュール基板２２０の上板面は、下側カバー２０の上板面と実質的に平行な高さに位置する。これによって、反射プレート３００がモジュール基板２２０の上板面及び下側カバー２０の上板面上に安定的に位置することができる。
【００５６】
反射プレート３００は、隣り合う光源モジュール２００のそれぞれの光源２１０の間に配置される。反射プレート３００は、複数の導光板１００のそれぞれに対応して複数枚が設けられ、反射プレート３００上に導光板１００が積層される。
【００５７】
本実施例との対比のために、反射プレート３００を複数枚ではなく一枚とした単一構造の従来構成を考慮する。従来構成の場合、反射プレート３００がモジュール基板２２０の底面に配置されるため、光源２１０からの光Ｌが反射プレート３００ではなくモジュール基板２２０に照射される領域が発生する。
【００５８】
本実施例は、このような領域の発生を防止するために、反射プレート３００を複数枚用意して、導光板１００の底面及びモジュール基板２２０との間に介在する。これによって、光Ｌの一部がモジュール基板２２０に照射される従来の構成における問題点を解消し、光Ｌが反射プレート３００により確かに反射されるようにすることができる。
【００５９】
一方、透明スクリュー６００が導光板締付孔１１０、反射プレート締付孔３１０及び下側カバー締付孔２１に貫通して結合されることで、導光板１００及び反射プレート３００が下側カバー２０に結合される。透明スクリュー６００は、光Ｌが透過する透明材質とすることによって、導光板１００を透過する光Ｌに干渉を与えない。
【００６０】
透明スクリュー６００は、スクリューヘッド６１０と、スクリューヘッド６１０から所定長さ延突し、ねじが刻まれているスクリューボディー６２０と、を含む。透明スクリュー６００の螺合が完了した状態では、スクリューボディー６２０は導光板締付孔１１０、反射プレート締付孔３１０及び下側カバー締付孔２１を貫通し、スクリューヘッド６１０は、光Ｌが出射される導光板１００の上板面上に位置する形態となる。
【００６１】
スクリューヘッド６１０上には拡散プレート４００が積層され、拡散プレート４００を導光板１００に対して支持する。スクリューヘッド６１０は、所定の太さを有するから、拡散プレート４００が自重により−Ｚ方向に垂れることを防止することができ、拡散プレート４００と導光板１００との間に適切なギャップ（gap）Ｇを維持させる。
【００６２】
以下、図３を参照して、導光板１００上に形成される導光板パターンの構成について説明する。図３は、一つの導光板１００と、それに対応する光源モジュール２００を示す要部平面図である。
【００６３】
図３に示すように、導光板１００は、Ｘ方向に沿って延長され、この導光板１００の一側面に近接して複数の光源２１０がＸ方向に沿って並設される。
【００６４】
導光板１００は、Ｘ−Ｙ平面と平行な板面上に光学パターンが形成され、この光学パターンによって光散乱がなされる。もし、同一領域の範囲内で光学パターンの密度が異なる場合、光学パターンの密度が高いほど光散乱の度合が増加し、輝度は上昇する。したがって、導光板１００の光学パターンは、光源２１０に近接するほどその密度が低くなり、光源２１０から遠ざかるほどその密度が高くなるように構成する。
【００６５】
導光板１００は、光源２１０が位置している側面から光Ｌが照射される方向に所定距離の領域が光入射部を形成する。光入射部は、導光板１００において光源２１０に隣接する所定領域を意味し、同一のＹ方向幅を有しながらＸ方向に延長形成される。光入射部のＹ方向幅は、特に限定されるものではなく、光源２１０から照射される光Ｌの損失量が、既に設定された値以下の領域とすることができる。
【００６６】
各光源２１０は、隣り合う光源２１０と所定間隔を置いて配置され、光入射部に光Ｌを照射する。光源２１０は、その特性上、所定の角度範囲で光Ｌを発散し、よって、各光源２１０による光照射範囲Ｒが形成される。
【００６７】
ところが、各光源２１０は互いに隔たっているので、隣り合う２つの光源２１０のそれぞれによる光照射範囲Ｒに含まれない光入射部の一領域が形成される。以下、光入射部において光源２１０による光照射範囲Ｒの内側に含まれる領域を第１領域Iと呼び、光入射部において光源２１０による光照射範囲Ｒの外側に含まれる領域を第２領域IIと呼ぶものとする。
【００６８】
第２領域IIは、隣り合う２つの光源２１０の間に位置し、光源２１０の光照射範囲Ｒの外側にあるので、第１領域Iに比べて入射光量が少ない。したがって、もし、第２領域IIと第１領域Iの光学パターンを同一密度で形成すると、第２領域IIに対応するディスプレイ領域は相対的に輝度が低下し、暗部とされる。このような暗部は、ディスプレイ領域に表示される映像の品質を低下させる。
【００６９】
そこで、本実施例では、第１領域I及び第２領域IIの光学パターン密度を別々にする。すなわち、第２領域IIに形成された光学パターンを、第１領域Iに形成された光学パターンの密度に比べて稠密に形成する。光学パターンを稠密にする方法には、光学パターンを形成するドット（dot）の大きさを相対的に大きくする方法がある。
【００７０】
第２領域IIの光学パターンをより稠密にすると、第２領域IIにおける光散乱の度合が増加し、結果として第２領域IIから出射される光量が増加する。
【００７１】
これによって、光入射部における第１領域I及び第２領域IIのそれぞれに対応するディスプレイ領域において輝度ばらつきを減らすことができ、映像の品質を保障することができる。
【００７２】
導光板１００において、第２領域IIを含み、光学パターンを稠密にしたパターンちゅう密領域Ｐは、第２領域IIの形状に対応する三角形にすることができるが、このような形状に限定されず、図４に示すように、パターンちゅう密領域Ｐは、第２領域IIを含み、五角形の形状にすることもできる。
【００７３】
パターンちゅう密領域Ｐは、第２領域IIに対応するように形成されたり、または、第２領域IIを含むように形成されたりすることができる。ここで、パターンちゅう密領域Ｐ及び第１領域I間において光学パターン密度の変化は漸進的になされるようにする。
【００７４】
以下、各光源モジュール２００ａ，２００ｂ，２００ｃにおける光源２１０の配置構造について、図５を参照して説明する。図５は、複数導光板１００ａ，１００ｂ，１００ｃのそれぞれに配置される複数の光源２１０間の配置関係を示す要部平面図である。
【００７５】
図５に示すように、Ｙ方向に沿って第１導光板１００ａ、第２導光板１００ｂ及び第３導光板１００ｃが順に配置されており、各導光板１００ａ，１００ｂ，１００ｃに対応して第１光源モジュール２００ａ、第２光源モジュール２００ｂ及び第３光源モジュール２００ｃが光Ｌを照射する。第１導光板１００ａは第２導光板１００ｂと隣り合い、第２導光板１００ｂは第３導光板１００ｃと隣り合う。
【００７６】
第１導光板１００ａに対応する第１光源モジュール２００ａに含まれる光源２１０の光照射方向がＹ方向に平行であるすれば、これら各光源２１０からの光Ｌは第１軸線Ｄ１に沿って照射される。一方、第２導光板１００ｂに対応する第２光源モジュール２００ｂに含まれる光源２１０の光照射方向がＹ方向に平行であるとすれば、これら各光源２１０からの光Ｌは第２軸線Ｄ２に沿って照射される。
【００７７】
ここで、第１光源モジュール２００ａの複数光源２１０及び第２光源モジュール２００ｂの複数光源２１０は、互いにずれて配置される。すなわち、第１軸線Ｄ１及び第２軸線Ｄ２は、同一軸線ではなく異なる軸線とされる。
【００７８】
もし、第１光源モジュール２００ａの複数光源２１０及び第２光源モジュール２００ｂの複数光源２１０が、互いにずれて配置されずに、同一軸線にそれぞれ配置されると、第１光源モジュール２００ａの光源２１０から照射される光Ｌは、第２光源モジュール２００ｂの光源２１０に干渉されて、第２導光板１００ｂに入射し難くなる。
【００７９】
そこで、本実施例では、第１光源モジュール２００ａの光源２１０から照射される光が、第２導光板１００ｂに容易に入射するように、第２光源モジュール２００ｂの光源２１０が第１軸線Ｄ１上に配置されないように構成する。これにより、ディスプレイ領域全体において輝度分布をより均一化させることができる。
【００８０】
第３導光板１００ｃに対応する第３光源モジュール２００ｃの光源２１０の配置は、第１光源モジュール２００ａの配置と同様にする。第２導光板１００ｂに対応する光源２１０及び第３導光板１００ｃに対応する光源２１０間の配置については、上記の実施例を応用すればいいので、その詳細は省略する。
【００８１】
一方、以上説明した実施例は、様々な形態のディスプレイ装置１に適用することができる。以下では、ＴＶに具現されるディスプレイ装置１に本発明の実施例が適用される場合について、図６を参照して説明する。
【００８２】
図６は、本実施例によるディスプレイ装置１の構成ブロック図である。図６で、実線は、映像信号または制御信号の伝達を表し、点線は、光の伝達を表す。
【００８３】
図６に示すように、本実施例によるディスプレイ装置１は、映像信号を受信する映像受信部５０と、映像受信部５０に受信される映像信号を処理する映像処理部６０と、映像処理部６０により処理される映像信号に基づく映像を表示するディスプレイパネル７０と、ディスプレイパネル７０に映像が表示されるように光を供給するバックライトユニット８０と、を含む。
【００８４】
映像受信部５０は、次のような様々な規格を有することができる。例えば、ディスプレイ装置１がＴＶに具現される場合、映像受信部６０は、放送局（図示せず）から送出されるＲＦ（radio frequency）信号を無線で受信したり、または、コンポジット（composite）ビデオ、コンポーネント（component）ビデオ、スーパービデオ（super video）、ＳＣＡＲＴ、ＨＤＭＩ（high definition multimedia interface）規格などによる映像信号を受信することができる。または、映像受信部５０は、ディスプレイ装置１をコンピュータモニタとした場合、ＶＧＡ方式によるＲＧＢ信号を伝達可能なＤ−ＳＵＢや、ＤＶＩ（digital video interactive）、ＨＤＭＩ規格などの映像信号を受信するものとすることができる。
【００８５】
映像処理部６０は、映像受信部５０から伝達される映像信号に対して、既に設定された様々な映像処理プロセスを行う。映像処理部６０が行う映像処理プロセスの種類は、特に限定されないが、例えば、様々な映像フォーマットに対応するデコーディング（decoding）及びエンコーディング（encoding）、デインターレーシング（de−interlacing）、フレームリフレッシュレート（frame refresh rate）変換、スケーリング（scaling）、映像画質改善のためのノイズ減少（noise reduction）、ディテールエンハンスメント（detail enhancement）などを含むことができる。
【００８６】
映像処理部６０は、これらのプロセスをそれぞれ独立して行う個別の構成にすることもでき、これらの機能を統合させた一体の構成にすることもできる。
【００８７】
ディスプレイパネル７０及びバックライトユニット８０の構成は、上述した実施例における構成と実質的に同一であるので、その説明は省略する。
【００８８】
以上の実施例は例示的なものであり、当該技術分野における通常の知識を有する者には、様々な変形及び均等な他の実施例が可能である。したがって、本発明の真の技術的保護範囲は、下記の特許請求の範囲に記載された発明の技術的思想により定められるべきである。
【符号の説明】
【００８９】
１        ディスプレイ装置
１０      上側カバー
２０      下側カバー
３０      ディスプレイパネル
４０      バックライトユニット
１００    導光板
２００    光源モジュール
２１０    光源
２２０    モジュール基板
３００    反射プレート
４００    拡散プレート
５００    光学シート類
６００    透明スクリュー
６１０    スクリューヘッド
６２０    スクリューボディー
【図１】
2011128599.tif 000003
【図２】
2011128599.tif 000004
【図３】
2011128599.tif 000005
【図４】
2011128599.tif 000006
【図５】
2011128599.tif 000007
【図６】
2011128599.tif 000008